(57)【要約】  【課題】机上に配置するときや持ち運ぶときに単体で取り扱いでき、扁平に折り畳んだ際にはその内部に従来より高いセキュリティ空間を形成することができ、また、書類の出し入れも迅速、適切に行え、さらに、既存のデスクトップパネルの有無に関わらずデスクトップパネル等として使用可能で、周囲との関係で適宜必要な作業環境を容易に整えることができるといった開閉パネル体Ａを提供する。  【解決手段】一対の蓋体１の縁部同士を開閉可能に連結し、単体で取り扱いが可能なものであって、前記蓋体１同士を略平行となるように突き合わせて閉じることによって内部に扁平な収納スペースを閉成する第１の使用態様Ｐ１と、前記蓋体１同士を所定の角度をなすように開くことによって収納スペースを開成した状態で蓋体１を立面として自立可能とする第２の使用態様Ｐ２とを少なくともとり得るようにした。  【選択図】図２
2009167693.tif 000002
【特許請求の範囲】
【請求項１】
一対の蓋体の縁部同士を開閉可能に連結し、単体で取り扱いが可能なものであって、前記蓋体同士を略平行となるように突き合わせて閉じることによって内部に扁平な収納スペースを閉成する第１の使用態様と、前記蓋体同士を所定の角度をなすように開くことによって収納スペースを開成した状態で蓋体を立面として自立可能とする第２の使用態様とをとり得ることを特徴とする開閉パネル体。
【請求項２】
蓋体の外面が、張材などによって化粧された化粧面をなしている請求項１記載の開閉パネル体。
【請求項３】
両蓋体の内面にそれぞれ収納部を有し、両収納部を干渉させることなく蓋体同士を閉じて第１の使用態様をとり得るようにしている請求項１又は２何れか記載の開閉パネル体。
【請求項４】
蓋体同士が少なくとも略１８０°相対回転可能であり、かかる回転位置を、収納部を略面一に隣接させる第３の使用態様をとる位置としている請求項１〜３何れかに記載の開閉パネル体。
【請求項５】
蓋体同士が、外面同士を背合わせに突き合わせて略３６０°相対回転可能であり、かかる回転位置を、収納部を背向させる第４の使用態様をとる位置としている請求項１〜４何れかに記載の開閉パネル体。
【請求項６】
蓋体の縁部に、蓋体同士を突き合わせた状態で蓋体を立面として自立させるための接地部を有する請求項１〜５何れかに記載の開閉パネル体。
【請求項７】
一部に、蓋体同士を突き合わせた状態でデスク等の使用場所の一部に転倒し得ないように着脱可能に連結するための連結部を有する請求項６記載の開閉パネル体。
【請求項８】
連結部が、一対の蓋体の間を連結するヒンジ部または蓋体を自立させるための接地部に設定されている請求項７記載の開閉パネル体。
【発明の詳細な説明】
【技術分野】
【０００１】
本発明は、重要書類などを閉じ込めて情報を保護可能な使用態様と、デスクトップパネル又はサイドパネルとしての使用態様とをとり得るとともに、単体で取り扱い可能な開閉パネル体に関するものである。
【背景技術】
【０００２】
従来より、オフィス等における作業環境を整える手段として、例えば特許文献１の図１には、天板の反使用縁にデスクトップパネル的に基板を配置し、この基板に、天板幅方向に沿って平行な軸回りに収納具を取り付けて、基板に対して収納具を開閉自在とした卓上収納装置が開示されている。
【０００３】
また、特許文献２の図３には、天板の反使用縁にデスクトップパネル的にベースパネルを配置し、このベースパネルに観音扉を取り付けて、この観音扉を天板側縁に沿う位置まで横開き可能とした机のパーティション装置が開示されている。
【特許文献１】特公平０６−７８０１号公報
【特許文献２】実開平０３−１２７５４４号公報
【発明の開示】
【発明が解決しようとする課題】
【０００４】
しかしながら、何れのものも、天板の反使用縁に基板やベースパネルを固定し、この位置を基準にして収納具や観音扉を開閉させる構造であり、使用場所が限定される上に、デスクトップパネル自体が特殊な構造をなすため既設のデスクに適用することができず、既にデスクトップパネルが配置されている場合にはパネルを取替えない限り採用が困難である。
【０００５】
特に、前者は対面者に対する目隠しと収納の機能を兼ねたものであり、後者は対面者と隣席者に対する目隠しを兼ねたものであり、それぞれに所期の役割を果たすものであるが、近時のオフィス環境等を考慮すると、これら両機能を有し、しかも更に使い勝手の良いオフィスツールの開発が望まれる。
【０００６】
すなわち、昨今においてはフリーアドレス制に見られるように、自席を持たず、随時必要な席に就いて作業を行うオフィスが増えており、このような場所では、就業、退席、移動が簡素に行えて、就業時には集中した作業環境を作る等、周囲との関係で適宜必要な作業環境を整え、書類の出し入れ等の取り扱いも迅速、適切に行うことが要求される。
【０００７】
本発明は、このような要求に有効に応えることのできる、新規有用なパネルアイテムを実現することを目的としている。
【課題を解決するための手段】
【０００８】
本発明は、かかる目的を達成するために、次のような手段を講じたものである。
【０００９】
すなわち、本発明の開閉パネル体は、一対の蓋体の縁部同士を開閉可能に連結し、単体で取り扱いが可能なものであって、前記蓋体同士を略平行となるように突き合わせて閉じることによって内部に扁平な収納スペースを閉成する第１の使用態様と、前記蓋体同士を所定の角度をなすように開くことによって収納スペースを開成した状態で蓋体を立面として自立可能とする第２の使用態様とをとり得ることを特徴とする。なお、単体で取り扱い可能とは、デスク等に不離一体に作り込まれたものとは異なり、デスク上で、或いはデスク間で移動させて取り扱えるものであるという程の意味である。
【００１０】
このようなものであれば、第１の使用態様では扁平に折り畳め、第２の使用態様では自立可能であって、机上において使用場所を限定されない。そして、第２の使用態様では、配置によってデスクトップパネルやサイドパネルとしての機能を同時に持たせることができ、既にデスクトップパネルが存する場合にも蓋体を前面に重合ないし対向させれば支障なく利用することができる。したがって、仕掛かり書類を仮置きしたり、周囲との間を必要に応じて適切に間仕切る場合などに有用となる。また、第１の使用態様では、重要書類や秘密書類等を閉じ込んで情報を保護することができ、第２の使用態様から即座に折り畳める点も有効となる。さらに、デスク等に依存せずに単体で取り扱いが可能であり、可搬性を有するため、開閉パネル体ごと別のデスクに移動して使用する利用形態なども容易に可能となる。
【００１１】
閉じて使用する場合の外観や、サイドパネルとして使用する場合の隣席に対する外観も有効に確保することができるようにするには、蓋体の外面が、張材などによって化粧された化粧面をなしていることが好ましい。
【００１２】
第１の使用態様での状態を損なうことなく、蓋体を開けば豊富な収納場所を簡易に実現できるようにするには、両蓋体の内面にそれぞれ収納部を有し、両収納部を干渉させることなく蓋体同士を閉じて第１の使用態様をとる位置としていることが望ましい。
【００１３】
蓋体同士が少なくとも略１８０°相対回転可能であり、かかる回転位置を、収納部を略面一に隣接させる第３の使用態様としているものであれば、着座者の前面に収納部を広く展開することなどが可能となる。
【００１４】
また、蓋体同士が、外面同士を背合わせに突き合わせて略３６０°相対回転可能であり、かかる回転位置を、収納部を背向させる第４の使用態様をとる位置としているものであれば、反転させてリバーシブルにできるので、例えば隣席との間に配置すれば、隣席者とともに収納部を半分づつ共用できる態様等が実現可能となる。
【００１５】
本発明の望ましい態様としては、蓋体の縁部に、蓋体同士を突き合わせた状態で蓋体を立面として自立させるための接地部を有するものが挙げられる。このような構成であれば、載せ置くだけで自立するため、サイドの間仕切り等として即座に利用することができる。
【００１６】
一部に、蓋体同士を突き合わせた状態でデスク等の使用場所の一部に転倒し得ないように着脱可能に連結するための連結部を有するのであれば、例えば、サイドパネル等として使用する際に、このような連結部を利用して自立状態を平易に安定させることができる。
具体的には、連結部は、一対の蓋体を連結するヒンジ部または蓋体を自立させるための接地部に設定されているものが挙げられる。
【発明の効果】
【００１７】
本発明は、以上説明した構成であるから、机上に配置するときや持ち運ぶときに単体で取り扱いできるとともに、扁平に折り畳んだ際にはその内部に重要書類を閉じ込んで従来より高いセキュリティ状態を実現することができ、また、書類の出し入れ等をする際にはその取り扱いも迅速、適切に行え、さらに、既存のデスクトップパネルの有無に関わらずデスクトップパネルやサイドパネルとして使用できるため、周囲との関係で適宜必要な作業環境を容易に整えることができるといった、新規有用な効果を奏する卓上開閉パネル体を実現することができる。
【発明を実施するための最良の形態】
【００１８】
以下、本発明の一実施形態を、図面を参照して説明する。
【００１９】
本実施形態の開閉パネル体Ａは、デスクの天板面に配置する際や持ち運ぶ際に単体で取り扱い可能なものであって、図１等に示すように、開閉可能な一対の蓋体１を具備し、これら蓋体１の縁部同士をヒンジ部１０において連結することによって、略３６０°相対回転可能とし、蓋体１の開成状態が異なる複数の使用態様をとり得るようにしたものである。
【００２０】
具体的に本実施形態では、図１及び図２に示す第１の使用態様Ｐ１、図３に示す第２の使用態様Ｐ２、図４に示す第３の使用態様Ｐ３、並びに、図５及び図６に示す第４の使用態様Ｐ４を選択的にとり得るようにしている。
【００２１】
ここで、第１の使用態様Ｐ１とは、図１、図２に示すように、蓋体１同士を略平行となるように突き合わせて閉じることによって内部に扁平な収納スペースを形成している状態をいう。第２の使用態様Ｐ２とは、図３に示すように、蓋体１同士を所定角度（図では略９０°）をなすように開くことによって収納スペースを開成した状態で蓋体１を立面として自立可能としている状態をいう。第３の使用態様Ｐ３とは、図４に示すように、蓋体１同士を略１８０°に開いて、後述する収納部１Ｓを略面一に隣接させている状態をいう。第４の使用態様Ｐ４とは、図５、図６に示すように、蓋体１同士が、外面同士を背合わせに突き合わせて、収納部１Ｓを背向させている状態をいう。なお、説明の都合上、図３にのみにデスクＤを併記している。
【００２２】
以下、各部を具体的に説明する。
【００２３】
蓋体１は、略横長矩形状を有するものであって、蓋本体１１と、この蓋本体１１に取り付けた外装部１２とを備えている。
【００２４】
蓋本体１１は、略横長矩形状で薄板状の主パネル１１１と、この主パネル１１１から離間させつつ面板同士が平行を成すように設けた補助パネル１１２と、主パネル１１１の両側縁及び補助パネル１１２の両側縁に沿ってそれぞれ設けた側板部１１３と、主パネル１１１の上端縁に沿って設けた頂板部１１４と、主パネル１１１の下端縁及び補助パネル１１２の下端縁に沿ってそれぞれ設けた底板部１１５と、この底板部１１５の両端部から下方に向けて延出させた略ブロック体形状の接地部１１６とを具備し、これら各部を合成樹脂にて一体に形成している。そして、本実施形態では、主パネル１１１、補助パネル１１２、側板部１１３、頂板部１１４及び底板部１１５で囲まれる空間を、収納部１Ｓとしている。このように、収納部１Ｓを蓋体１の内部に設定しているため、蓋体１同士を閉じた第１の使用態様Ｐ１としても、両収納部１Ｓが干渉することはない。
【００２５】
外装部１２は、略矩形状で薄板状の心材１２１と、この心材１２１の少なくとも外面側を被覆し周囲を芯材１２１の裏面に巻き込んだ張材１２２とを備え、開閉パネルＡの外面に、その張材１２２によって化粧された化粧面を形成している。
【００２６】
本実施形態では、心材１２１には合板を用いる一方、張材１２２には布地を用いているが、これに限られず実施態様に応じて種々の材料により構成することができる。また、外装部１２を単一の部材より構成することも可能である。
【００２７】
以下、上述の開閉パネル体Ａについて、その使用方法を説明する。
【００２８】
扁平に折り畳んで第１の使用態様Ｐ１とすれば、重要書類や秘密書類等を閉じ込んで情報を保護することができる。このときは、特に可搬性に優れるため、開閉パネル体Ａごと別のデスクに移動して使用する利用形態なども容易となる。また、両収納部１Ｓを干渉させることなく蓋体１同士を閉じて第１の使用態様Ｐ１をとれるため、内部では両収容部１Ｓが連続するようになり比較的大きな収容空間を確保できる。また、蓋体１の縁部同士を中心に蓋体１を回動させるだけで、第２の使用態様Ｐ２から第１の使用態様Ｐ１に即座に折り畳める点及び逆に即座に展開できる点も有効である。なお、同様にして、第４の使用態様Ｐ４から、第３の使用態様Ｐ３及び第２の使用態様Ｐ２を順に経て、第１の使用態様Ｐ１に即座に変更したり、その逆の態様も可能であるのは言うまでもない。さらに、第１の使用態様Ｐ１であっても、蓋体１の縁部に設けた接地部１１６により、蓋体１を立面としながらデスクの天板面に好適に自立させることができる。
【００２９】
第２の使用態様Ｐ２とすれば、配置に応じてデスクトップパネルやサイドパネル等としての機能を同時に持たせることができ、既にデスクトップパネルが存する場合にも一方の蓋体１を前面に重合ないし対向させれば支障なく利用することができる。したがって、仕掛かり書類を仮置きしたり、周囲との間を必要に応じて適切に間仕切る場合などに有用となる。また、この第２の使用態様Ｐ２では、他の使用態様に比べより安定して自立可能であるので、机上において使用場所を限定されない。
【００３０】
第３の使用態様Ｐ３とすれば、着座者の前面に収納部１Ｓを広く展開することなどが可能となる。また、第３の使用態様Ｐ３の場合でも、他の使用形態と同様、蓋体１の縁部に設けた接地部１１６により、蓋体１を立面としながら好適に自立させることができる。
【００３１】
第４の使用態様Ｐ４として、例えば隣席との間に配置すれば、この開閉パネル体Ａをリバーシブルにした状態で隣席者とともに収納部１Ｓを半分づつ共用できる態様が実現可能となる。また、第４の使用態様Ｐ４の場合でも、他の使用形態と同様、蓋体１の縁部に設けた接地部１１６により、蓋体１を立面としながら好適に自立させることができる。
【００３２】
したがって、このような開閉パネル体Ａによれば、従来のようにデスクへの取り付けのために特殊な構造を採用する必要がないため、使用場所が無用に限定されることなく既設のデスクに容易に適用することができる。しかも、既に他のデスクトップパネルが配置されている場合であっても、そのパネルを取り外したりすることなく、開閉パネル体Ａを配置して利用することができる。
【００３３】
しかも、机上に配置するときや持ち運ぶときに単体で取り扱いできるとともに、扁平に折り畳んだ際にはその内部に重要書類を閉じ込んで従来より高いセキュリティ状態を即座に実現することができ、また、書類の出し入れ等の取り扱いも迅速、適切に行え、さらに、既存のデスクトップパネルの有無に関わらずデスクトップパネルやサイドパネルとして使用できるため、周囲との関係で適宜必要な作業環境を容易に整えることができるといった、優れた開閉パネル体Ａを提供することができる。
【００３４】
その際、蓋体１の外面が、張材１２２などによって化粧された化粧面をなしているため、閉じて使用する場合の外観や、サイドパネルとして使用する場合の隣席者や対面者に対する外観も有効に確保することができる。
【００３５】
また、蓋体１同士が略９０°を成す第２の使用態様Ｐ２の場合はもちろんのこと、蓋体１同士を突き合わせた状態である第１の使用態様Ｐ１及び第４の使用態様Ｐ４の場合であっても、蓋体１の縁部に設けた接地部１１６により、蓋体１を立面としながら好適に自立させることができる点、蓋体１同士を略１８０°に開いた状態である第３の使用態様Ｐ３の場合でも、同様に、蓋体１を立面としながら好適に自立させることができる点は既述したところである。
【００３６】
なお、各部の具体的な構成は、上述した実施形態のみに限定されるものではない。
【００３７】
例えば、蓋体１の外観形状は、本実施形態では略横長矩形状としているが、使用態様を変更できる限り任意のものが採用可能である。
【００３８】
また、開閉パネル体Ａが４つの使用態様をとるようにしているが、少なくとも第１の使用態様Ｐ１と第２の使用態様Ｐ２とをとることができればよい。
【００３９】
さらに、蓋体１の外面を化粧面としているが、必ずしも化粧面とする必要はない。
【００４０】
また、第２の使用態様Ｐ２における蓋体１同士が成す所定の角度は、略９０°に限られず、角度をなすことによって接地部の形状等に依存せずに自立できる角度であれば当該第２の使用態様Ｐ２に含まれる。
【００４１】
また、開閉パネル体Ａの一部に、蓋体１同士を突き合わせた状態でデスク等の使用場所の一部に転倒し得ないように着脱可能に連結するための連結部を設けてもよい。この連結部の具体的態様としては、例えば、図７に示すように、ヒンジ部１０に設けた被係合部１０ｍ等が挙げられる。そして、クランプＸの平行な片Ｘ１、Ｘ２のうち、一方の片Ｘ１を被係合部１０ｍ内に差し込んだ上で、他方の片Ｘ２に螺合させた止着具Ｙを天板Ｄ１の下面に圧接させれば、開閉パネルＡを第１の使用態様Ｐ１や第４の使用態様Ｐ４でサイドパネルとして使用する場合等に天板Ｄ１上に平易に自立させて安定させることができる。このような自立のさせ方を前提とするならば、前述した接地部１１６は最小限の構成とすることができるので、接地部１１６の机上における無用な占有を防止することができるようになる。
【００４２】
或いは連結部は、図８に示すように、接地部１１６に設けた被係合部１１６ｍ等が挙げられる。そして、クランプＸの平行な片Ｘ１、Ｘ２のうち、一方の片Ｘ１を被係合部１１６ｍ内に差し込んだ上で、他方の片Ｘ２に螺合させた止着具Ｙを天板Ｄ１の下面に圧接させれば、開閉パネルＡを第３の使用態様Ｐ３でほぼ１８０°に開いて使用する場合等に天板Ｄ１上に平易に安定させることができる。
【００４３】
なお、各部の具体的な構成は、上述した実施形態のみに限定されるものではなく、本発明の趣旨を逸脱しない範囲で種々変形が可能である。
【図面の簡単な説明】
【００４４】
【図１】本発明の一実施形態に係る開閉パネル体の第１の使用態様を示す全体斜視図。
【図２】図１の縦断面図。
【図３】同実施形態における第２の使用態様を示す全体斜視図。
【図４】同実施形態における第３の使用態様を示す全体斜視図。
【図５】同実施形態における第４の使用態様を示す全体斜視図。
【図６】図５の縦断面図。
【図７】連結部を備えた他の実施形態に係る開閉パネル体の連結部の一態様を示す図。
【図８】連結部を備えた更に他の実施形態に係る開閉パネル体の連結部の一態様を示す図。
【符号の説明】
【００４５】
Ａ…開閉パネル体
Ｐ１…第１の使用態様
Ｐ２…第２の使用態様
Ｐ３…第３の使用態様
Ｐ４…第４の使用態様
１…蓋体
１Ｓ…収納部
１１６…接地部
１１６ｍ…連結部（溝部）
【図１】
2009167693.tif 000003
【図２】
2009167693.tif 000004
【図３】
2009167693.tif 000005
【図４】
2009167693.tif 000006
【図５】
2009167693.tif 000007
【図６】
2009167693.tif 000008
【図７】
2009167693.tif 000009
【図８】
2009167693.tif 000010